(57)【要約】【課題】携帯を容易にするとともに、汗や水の発散を良好に行ない、爽快な使用感が得られるポンチョを提供する。【解決手段】使用者Ｐの頭部を覆うフード２と、このフードが一体に設けられ、使用者の胴部を包み込むポンチョ本体３とからなるポンチョ１であって、前記ポンチョ本体の前部若しくは後部に切り込み３ａを設け、前記ポンチョ内部に収納袋４を配設するとともに、この収納袋を、その開口縁と前記切り込みの内周縁とを縫合して一体化し、前記切り込みに、前記収納袋の開口を開閉するファスナー５を設けてなり、少なくとも前記フードおよびポンチョ本体が、吸水性に優れた布地によって形成されていることを特徴とする。【選択図】図１
0003206398.tif 000002
【実用新案登録請求の範囲】
【請求項１】
使用者の頭部を覆うフードと、このフードが一体に設けられ、使用者の胴部を包み込むポンチョ本体とからなるポンチョであって、前記ポンチョ本体の前部若しくは後部に切り込みを設け、前記ポンチョ内部に収納袋を配設するとともに、この収納袋を、その開口縁と前記切り込みの内周縁とを縫合して一体化し、前記切り込みに、前記収納袋の開口を開閉するファスナーを設けてなり、少なくとも前記フードおよびポンチョ本体が、吸水性に優れた布地によって形成されていることを特徴とするポンチョ。
【請求項２】
前記布地が、タオル地によって形成されていることを特徴とする請求項１に記載のポンチョ。
【請求項３】
前記布地が、マイクロファイバー繊維によって形成されていることを特徴とする請求項１に記載のポンチョ。
【請求項４】
前記ポンチョ本体が、使用者の膝近傍まで覆う長さに形成されていることを特徴とする請求項１ないし請求項３の何れかに記載のポンチョ。
【請求項５】
前記収納袋が、２枚の布地を重ね合わせるとともに、前記開口を除く周縁を縫合して形成されているとともに、一つの布地が、印刷可能な平滑面を有する布地であることを特徴とする請求項１ないし請求項４の何れかに記載のポンチョ。
【考案の詳細な説明】
【技術分野】
【０００１】
本考案はポンチョに係わり、特に、サーフィンといったマリンスポーツ等のウォータースポーツを行なう際に好適に用いられるポンチョに関するものである。
【背景技術】
【０００２】
従来のポンチョとして、たとえば、特許文献１に示される構成のものが知られている。
このポンチョは、上端にフードが設けられたポンチョ本体に、紐にて繋がれて前記ポンチョ本体および前記フードを折り畳んだ状態で収納する袋を設け、この袋内にスポンジを内装した構成となっている。
【０００３】
このポンチョは、主に、スポーツ観戦や釣りの際の雨除けや防寒用として用いられるもので、前記フードおよび前記ポンチョ本体を前記袋から取り出した状態でポンチョとして使用し、不使用時には、前記フードおよび前記ポンチョ本体を袋に収納した状態で持ち運びができるようにしている。
【０００４】
また、前記袋は、使用者が前記ポンチョを被った状態において、使用者のおしりに当たる位置に取り付けられている。
これにより、使用者がポンチョを被った状態で座った際に、前記スポンジが座布団として機能するようにしている。
【先行技術文献】
【特許文献】
【０００５】
【特許文献１】実開平７−１５７１１号公報
【考案の概要】
【考案が解決しようとする課題】
【０００６】
ところで、前述した従来のポンチョにあっては、携帯性を向上させ、また、多機能である点において有益であるが、なお、つぎのような改善すべき点が残されている。
【０００７】
すなわち、前述したポンチョでは、前記袋が前記ポンチョ本体に紐で取り付けられていることから、これらの間に多くの隙間が存在し、このポンチョを使用者が被った際に、前述した隙間に使用者の衣服等が絡んだりすることが想定される。
【０００８】
また、使用者の動きに伴って、前記袋が前記ポンチョ本体内で動いて使用者にぶつかることから、使用者に不快感を与えてしまうことも想定される。
このような袋の不用意な動きは、その内部に内装されている前記スポンジが、ある程度の重量を有していることから顕著になる。
【０００９】
一方、雨除けや防寒を目的としていることから、ポンチョの素材として、通気性が低く、あるいは、防水性が高い材質のものが用いられる。
【００１０】
しかしながら、ウォータースポーツ、たとえば、サーフィン等のマリンスポーツでは、プレーヤーが、プレーの前後においてポンチョを被って他人の視線を遮り、この状態で着替えを行なうことが多く見られる。
【００１１】
このような使用形態では、従来のように通気性が低くあるいは防水性の高い素材のポンチョであると、プレー前の着替えの際にはポンチョ内部が蒸れて発汗しやすく、また、プレー後の着替えの際には体に付着した汗や水が発散しづらい。
したがって、着替えの際の不快感がぬぐえない。
【００１２】
また、プレーの前後に体を休める際に、収納状態にあるポンチョを、背中や頭をもたせかけるクッションや枕として用いることもある。
この場合、通気性や吸水性のない素材でできたポンチョであると、前述した汗や水の発散が得られないことから爽快感が損なわれる。
【００１３】
本考案は、前述した従来の技術において残されている問題点を解決せんとしてなされたもので、携帯性を確保しつつ、汗や水の発散を良好に行ない、爽快な使用感が得られるポンチョを提供することを解決すべき課題とする。
【課題を解決するための手段】
【００１４】
本考案は、前述した課題を解決するために、使用者の頭部を覆うフードと、このフードが一体に設けられ、使用者の胴部を包み込むポンチョ本体とからなるポンチョであって、前記ポンチョ本体の前部若しくは後部に切り込みを設け、前記ポンチョ内部に収納袋を配設するとともに、この収納袋を、その開口縁と前記切り込みの内周縁とを縫合して一体化し、前記切り込みに、前記収納袋の開口を開閉するファスナーを設けてなり、少なくとも前記フードおよびポンチョ本体が、吸水性に優れた布地によって形成されていることを特徴としている。
【００１５】
このような構成とすることにより、ポンチョとして使用する場合には、前記フードおよび前記ポンチョ本体を収納袋から取り出して、前記ポンチョ本体側から被る。
【００１６】
これによって、使用者は、頭部を前記フードによって覆い、胴部を前記ポンチョ本体によって覆うことができる。
このように、ポンチョとして使用した状態において、前記フードおよびポンチョ本体が吸水性に優れた布地で構成されていることにより、使用者の体に付着した汗や水滴が速やかに吸収される。
【００１７】
したがって、プレーの前後における着替えの際に、汗や水滴による不快感をなくし、爽快な使用感を得ることができる。
【００１８】
そして、前記布地として、タオル地やマイクロファイバー繊維製布を用いることが好ましい。
これらの素材により、前述した汗や水滴の吸収作用をより効果的に行なうことができる。
【００１９】
また、前記ポンチョ本体を、使用者の膝近傍まで覆う長さに形成しておくことにより、使用者の体の殆どをポンチョ本体によって覆って、体全体から汗や水滴を除去することができる。
【００２０】
ここで、前記収納袋が前記ポンチョ本体と一体化されていることにより、前記収納袋が前記ポンチョ本体に対して自由に動くことはなく、また、その空間部が押し潰されて扁平状となされることから、使用者の動きに対して、前記収納袋と前記ポンチョ本体とが一体的に動く。
【００２１】
したがって、前記収納袋が使用者と一体になって動くこととなり、使用者の衣服との絡み等がなく装着時の違和感が軽減される。
【００２２】
また、ポンチョとして使用しない場合には、前記フードおよび前記ポンチョ本体を畳むとともに、これらを前記収納袋内に、その開口部を経て収納した後に、この収納袋の開口部を前記ファスナーによって閉じる。
これによって、ポンチョが収納袋の大きさにコンパクトに収納されて、携帯に便利な形状および大きさとなされる。
【００２３】
このように、前記フードおよびポンチョ本体が前記収納袋に収納された状態において、この収納袋に、ある程度の厚みが与えられてクッション性が生じる。
【００２４】
また、収納された前記フードおよびポンチョ本体が吸水性を有していることにより、休憩時等において、使用者が背中や頭をもたせかけた際に、前述した吸水性により、使用者とポンチョとの接触部分におけるさらさら感を確保することができる。
【００２５】
ここで、前記フードやポンチョ本体にタオル地を用いることにより、ある程度の厚みを確保することができるので、前述したクッション性を高めることができ、また、畳まれた前記フードやポンチョ本体内に多くの隙間を形成して、その吸収性をさらに高めることができる。
【００２６】
また、前記収納袋を、２枚の布地を重ね合わせるとともに、前記開口を除く周縁を縫合して形成し、かつ、一つの布地を印刷可能な平滑面を有する布地とすることもできる。
【００２７】
そして、前記他方の布地に種々の文字や図柄を施すことにより、商品情報の告知や公告の機能を付加することができる。
【考案の効果】
【００２８】
本考案のポンチョによれば、前記フードや前記ポンチョ本体を前記収納袋内に収納して携帯状態とすることができ、また、使用者の汗や付着した水滴を有効に除去して爽快な使用感を得ることができる。
【図面の簡単な説明】
【００２９】
【図１】本考案の第１の実施形態を示すもので、使用状態を示す外観斜視図である。
【図２】本考案の第１の実施形態を示すもので、収納袋を取り出した状態を示す外観斜視図である。
【図３】本考案の第１の実施形態を示すもので、収納手順を説明するための外観斜視図である。
【図４】本考案の第１の実施形態を示すもので、収納手順を説明するための外観斜視図である。
【図５】本考案の第１の実施形態を示すもので、収納状態を示す外観斜視図である。
【図６】本考案の第１の実施形態を示すもので、ファスナーの開閉機構を構成するスライダーの拡大斜視図である。
【図７】本考案の第１の実施形態を示すもので、ファスナーの開閉機構を構成するスライダーの拡大側面図である。
【考案を実施するための形態】
【００３０】
以下、本考案の第１の実施形態を図１ないし図５を参照して説明する。
これらの図において、符号１は、本実施形態に係わるポンチョを示す。
このポンチョ１は、使用者Ｐの頭部を覆うフード２と、このフード２が一体に設けられ、使用者Ｐの胴部を包み込むポンチョ本体３とからなるポンチョ１であって、前記ポンチョ本体３の前部に切り込み３ａを設け、前記ポンチョ本体３の内部に収納袋４を配設するとともに、この収納袋４を、その開口４ａの縁と前記切り込み３ａの内周縁とを縫合して一体化し、前記切り込み３ａに、前記収納袋４の開口４ａを開閉するファスナー５を設けてなり、少なくとも前記フード２およびポンチョ本体３が、吸水性に優れた布地によって形成された構成となっている。
【００３１】
本実施形態においては、前記布地としてタオル地若しくはマイクロファイバー繊維製布地が用いられており、また、前記収納袋４は、図２の示すように、２枚の布地６・７を重ね合わせるとともに、前記開口４ａを除く周縁を縫合して形成され、かつ、一方の布地６にタオル地が用いられ、他方の布地７に印刷可能な平滑面を有する布地が用いられている。
【００３２】
そして、前記収納袋４には、その開口４ａを経て、折り畳まれた前記フード２およびポンチョ本体３が収納されるようになされている。
また、前記フード２およびポンチョ本体３が収納された状態において、前記他方の布地７の、外方に露出させられる面には、文字８が印刷されている。
【００３３】
さらに、本実施形態においては、前記ポンチョ本体３が、使用者Ｐの膝近傍まで覆う長さに形成されている。
【００３４】
このように構成された本実施形態に係わるポンチョ１は、前記フード２および前記ポンチョ本体３を前記収納袋４から取り出して広げることにより、ポンチョ１として使用される。
【００３５】
使用者Ｐは、広げられたポンチョ１を被ることによって、その頭部を前記フード２によって覆い、また、胴部を前記ポンチョ本体３によって覆うことができる。
【００３６】
このように、使用者Ｐがポンチョ１を被った状態において、このポンチョ１によって使用者Ｐの体が覆われることとなるが、前記フード２やポンチョ本体３がタオル地で形成されていることから、使用者Ｐの汗や付着した水滴が、前記ポンチョ１によって吸収される。
【００３７】
したがって、使用者Ｐは、着替えに際して蒸れることなく快適に着替えを行なうことができる。
【００３８】
また、前記収納袋４が前記ポンチョ本体３と一体化されていることにより、使用者Ｐの動きに対して、前記収納袋４が前記ポンチョ本体３と一体的に動くことから、前記収納袋４と使用者Ｐとの相対移動が少なくてすむ。
さらに、前記収納袋４と前記ポンチョ本体３との間に形成される隙間が小さく抑えられて、使用者Ｐの衣服との絡みが抑制される。
したがって、前記収納袋４を設けたことによる違和感が抑制される。
【００３９】
また、ポンチョ１として使用しない場合には、前記フード２および前記ポンチョ本体３を、図３および図４に示すように畳んだ後に、これらを前記収納袋４内に、その開口４ａ部を経て収納し、さらに、この収納袋４の開口４ａを前記ファスナー５によって閉じる。
【００４０】
これによって、図５に示すように、前記フード２および前記ポンチョ本体３が前記収納袋４内に収納されて、コンパクトな携帯可能な状態となされる。
【００４１】
一方、前記フード２およびポンチョ本体３が前記収納袋４に収納された状態において、この収納袋４に、図５に示すように、ある程度の厚みが与えられるとともにクッション性が与えられる。
【００４２】
特に、本実施形態のように、前記フード２およびポンチョ本体３にタオル地を用いると、前記収納袋４内に収納した状態において、この収納袋４の厚みを厚くして前述したクッション性をより高めることができる。
【００４３】
したがって、前記収納袋４に収納された状態のポンチョ１を、枕や座布団あるいはクッションといった、体をもたれかけさせるグッズとして便利に使用することができる。
【００４４】
そして、収納状態にある前記収納袋４の表面には、図５に示すように、この収納袋４を構成する前記他方の布地７に施された文字８が露出させられる。
これによって、商品情報の告知や広告等の機能が得られる。
【００４５】
なお、前記実施形態において示した各構成部材の諸形状や寸法等は一例であって、設計要求等に基づき種々変更可能である。
【００４６】
たとえば、前記収納袋４は、ポンチョ１として使用する場合と収納した状態では、前記ファスナー５の外部への露出面が反転する。
これに伴い、図６や図７に示すような、前記ファスナー５の開閉機構を構成するスライダー９やこのスライダー９を摺動させるための持ち手１０も反転させられて、前記持ち手１０が前記収納袋４の内側に位置させられてしまう。
【００４７】
このような状態では、前記持ち手１０の操作がしづらくなることから、図６および図７に示すように、前記スライダー９に前記持ち手１０が摺動可能に係合させられるガイド溝９ａを形成するとともに、このガイド溝９ａを前記スライダー９を内外に跨ぐように約半周に亘って形成しておく。
【００４８】
このような構成とすることにより、前記持ち手１０を、図７に矢印で示すように、前記収納袋４の内側と外側に移動させることができる。
【符号の説明】
【００４９】
１  ポンチョ
２  フード
３  ポンチョ本体
３ａ  切り込み
４  収納袋
４ａ  開口
５  ファスナー
６  一方の布地
７  他方の布地
８  文字
９  スライダー
９ａ  ガイド溝
１０  持ち手
Ｐ  使用者
【図１】
0003206398.tif 000003
【図２】
0003206398.tif 000004
【図３】
0003206398.tif 000005
【図４】
0003206398.tif 000006
【図５】
0003206398.tif 000007
【図６】
0003206398.tif 000008
【図７】
0003206398.tif 000009